(57)【特許請求の範囲】
【請求項１】
一つの部材でヘッダーの少なくとも主管部の周面全体を覆って保温する保温部材であって、
前記ヘッダーの主管部を収容する収容空間と、
その収容空間に前記ヘッダーの主管部を挿入するための挿入面と、
前記ヘッダーの管接続部に給水湯管を接続するために、前記管接続部を外方に臨ませる管用通孔と、
前記ヘッダーを構造物等の固定部に取付固定するための、固定具または／および前記ヘッダーの被固定部が通る、固定用通孔とを備え、
前記固定部に取付固定された前記ヘッダーに取付可能とすべく、前記固定用通孔は、その固定用通孔を囲む囲繞部が分断されるようにして、前記挿入面に通ずることを特徴とするヘッダー用保温部材。
【請求項２】
前記固定部に取付固定されて前記給水湯管が接続された前記ヘッダーに取付可能とすべく、前記固定用通孔が前記挿入面に通ずるとともに、前記管用通孔が前記挿入面に通ずることを特徴とする請求項１に記載のヘッダー用保温部材。
【請求項３】
前記固定用通孔は、スリットにより前記挿入面に通ずることを特徴とする請求項１または２に記載のヘッダー用保温部材。
【請求項４】
前記挿入面は、前記収容空間の周面を縦に切るようにして前記保温部材を割る、割面からなることを特徴とする請求項１ないし３のいずれか１項に記載のヘッダー用保温部材。
【請求項５】
前記収容空間および前記固定用通孔を有する本体と、その本体から側方に突出する突出部とを備え、
前記ヘッダーの管接続部としての、前記主管部の端から延設された第１接続部を外方に臨ませる、前記管用通孔としての第１通孔が、前記本体における前記収容空間の端に設けられ、
前記ヘッダーの管接続部としての、前記主管部の周面側に設けられた第２接続部を外方に臨ませる、前記管用通孔としての第２通孔が、前記収容空間から、前記突出部を経てその突出部の先端に達するように設けられ、また、
前記挿入面は、前記収容空間の周面と前記第１および第２通孔の周面とを縦に切るようにして前記保温部材を割る、割面からなり、
前記固定用通孔は、前記第２通孔間に設けられたスリットにより前記割面に通ずることを特徴とする請求項２に記載のヘッダー用保温部材。
【請求項６】
請求項１に記載のヘッダー用保温部材を前記ヘッダーに取り付ける、ヘッダー用保温部材の取付方法であって、
前記固定部に取付固定された前記ヘッダーに対して、前記固定具または／および前記被固定部を前記固定用通孔に挿入するとともに、前記ヘッダーの主管部を前記収容空間に前記挿入面側から挿入するようにして、前記ヘッダー用保温部材を取り付けることを特徴とする、ヘッダー用保温部材の取付方法。
【請求項７】
請求項２に記載のヘッダー用保温部材を前記ヘッダーに取り付ける、ヘッダー用保温部材の取付方法であって、
前記固定部に取付固定されて前記給水湯管が接続された前記ヘッダーに対して、前記固定具または／および前記被固定部を前記固定用通孔に挿入し、かつ、前記管接続部、前記給水湯管、または／および、それら管接続部と給水湯管とを連結する継手を、前記管用通孔に挿入するとともに、前記ヘッダーの主管部を前記収容空間に前記挿入面側から挿入するようにして、前記ヘッダー用保温部材を取り付けることを特徴とする、ヘッダー用保温部材の取付方法。
【発明の詳細な説明】
【技術分野】
【０００１】
この発明は、一つの部材でヘッダーの少なくとも主管部の周面全体を覆って保温する、ヘッダー用保温部材、およびヘッダー用保温部材の取付方法に関するものである。
【背景技術】
【０００２】
従来、例えば、固定部としての建物の壁にヘッダーを、壁から離すように固定具を用いて取付固定することがあった（例えば、特許文献１参照）。そして、その後に、ヘッダーを保温部材で覆う必要が生じた場合には、まず、ヘッダーを固定具から取り外すとともに、固定具を壁から取り外した。そして、ヘッダーを保温部材で覆い、その保温材の外周に掛けられるバンド部材等を有する固定具を用いることで、ヘッダーを壁に固定していた（例えば、特許文献２参照）。
【０００３】
【特許文献１】特開平９−１１２７５１
【０００４】
【特許文献２】特開２００５−１８０５１９
【発明の開示】
【発明が解決しようとする課題】
【０００５】
ところで、前記従来の保温部材にあっては、その保温部材を、壁から取り外された状態のヘッダーに取り付ける必要があるため、ヘッダーが壁に固定されているときには、一旦、ヘッダーを壁から取り外さなければならず、保温部材の取付作業が非常に厄介であった。
【０００６】
この発明は、上記した従来の欠点を解決するためになされたものであり、その目的とするところは、ヘッダーへの取付作業が容易な、ヘッダー用保温部材、およびヘッダー用保温部材の取付方法を提供することにある。
【課題を解決するための手段】
【０００７】
この発明に係るヘッダー用保温部材、およびヘッダー用保温部材の取付方法は、前記目的を達成するために、次の構成からなる。すなわち、
請求項１に記載の発明に係るヘッダー用保温部材は、一つの部材でヘッダーの少なくとも主管部の周面全体を覆って保温する保温部材である。この保温部材は、前記ヘッダーの主管部を収容する収容空間と、その収容空間に前記ヘッダーの主管部を挿入するための挿入面と、前記ヘッダーの管接続部に給水湯管を接続するために、前記管接続部を外方に臨ませる管用通孔と、前記ヘッダーを構造物等の固定部に取付固定するための、固定具または／および前記ヘッダーの被固定部が通る、固定用通孔とを備える。そして、前記固定部に取付固定された前記ヘッダーに取付可能とすべく、前記固定用通孔は、その固定用通孔を囲む囲繞部が分断されるようにして、前記挿入面に通ずる。
【０００８】
これにより、このヘッダー用保温部材を、固定部に取付固定されたヘッダーに対して取り付けるには、固定具または／およびヘッダーの被固定部を固定用通孔に挿入するとともに、ヘッダーの主管部をヘッダー用保温部材の収容空間に挿入面側から挿入するようにして、ヘッダー用保温部材をヘッダーに取り付ける。こうして、ヘッダーが固定部に取付固定されている場合であっても、ヘッダーを固定部から取り外すことなく、ヘッダー用保温部材をヘッダーに取り付けることができる。
【０００９】
また、請求項２に記載の発明に係るヘッダー用保温部材は、請求項１に記載のヘッダー用保温部材において、前記固定部に取付固定されて前記給水湯管が接続された前記ヘッダーに取付可能とすべく、前記固定用通孔が前記挿入面に通ずるとともに、前記管用通孔が前記挿入面に通ずる。
【００１０】
これにより、このヘッダー用保温部材を、固定部に取付固定されて給水湯管が接続されたヘッダーに対して取り付けるには、固定具または／およびヘッダーの被固定部を固定用通孔に挿入し、かつ、ヘッダーの管接続部、給水湯管、または／および、それら管接続部と給水湯管とを連結する継手を、管用通孔に挿入するとともに、ヘッダーの主管部をヘッダー用保温部材の収容空間に挿入面側から挿入するようにして、ヘッダー用保温部材をヘッダーに取り付ける。こうして、ヘッダーが固定部に取付固定され給水湯管がヘッダーに接続されている場合であっても、ヘッダーを固定部から取り外したり給水湯管をヘッダーから取り外したりすることなく、ヘッダー用保温部材をヘッダーに取り付けることができる。
【００１１】
また、請求項３に記載の発明に係るヘッダー用保温部材は、請求項１または２に記載のヘッダー用保温部材において、前記固定用通孔は、スリットにより前記挿入面に通ずる。
【００１２】
また、請求項４に記載の発明に係るヘッダー用保温部材は、請求項１ないし３のいずれか１項に記載のヘッダー用保温部材において、前記挿入面は、前記収容空間の周面を縦に切るようにして前記保温部材を割る、割面からなる。
【００１３】
また、請求項５に記載の発明に係るヘッダー用保温部材は、請求項２に記載のヘッダー用保温部材において、前記収容空間および前記固定用通孔を有する本体と、その本体から側方に突出する突出部とを備える。そこで、前記ヘッダーの管接続部としての、前記主管部の端から延設された第１接続部を外方に臨ませる、前記管用通孔としての第１通孔が、前記本体における前記収容空間の端に設けられる。そして、前記ヘッダーの管接続部としての、前記主管部の周面側に設けられた第２接続部を外方に臨ませる、前記管用通孔としての第２通孔が、前記収容空間から、前記突出部を経てその突出部の先端に達するように設けられる。また、前記挿入面は、前記収容空間の周面と前記第１および第２通孔の周面とを縦に切るようにして前記保温部材を割る、割面からなる。そして、前記固定用通孔は、前記第２通孔間に設けられたスリットにより前記割面に通ずる。
【００１４】
また、請求項６に記載の発明に係るヘッダー用保温部材の取付方法は、請求項１に記載のヘッダー用保温部材を前記ヘッダーに取り付ける取付方法であって、前記固定部に取付固定された前記ヘッダーに対して、前記固定具または／および前記被固定部を前記固定用通孔に挿入するとともに、前記ヘッダーの主管部を前記収容空間に前記挿入面側から挿入するようにして、前記ヘッダー用保温部材を取り付けるものである。
【００１５】
また、請求項７に記載の発明に係るヘッダー用保温部材の取付方法は、請求項２に記載のヘッダー用保温部材を前記ヘッダーに取り付ける取付方法であって、前記固定部に取付固定されて前記給水湯管が接続された前記ヘッダーに対して、前記固定具または／および前記被固定部を前記固定用通孔に挿入し、かつ、前記管接続部、前記給水湯管、または／および、それら管接続部と給水湯管とを連結する継手を、前記管用通孔に挿入するとともに、前記ヘッダーの主管部を前記収容空間に前記挿入面側から挿入するようにして、前記ヘッダー用保温部材を取り付けるものである。
【発明の効果】
【００１６】
この発明に係るヘッダー用保温部材、およびヘッダー用保温部材の取付方法によれば、ヘッダーが固定部に取付固定されている場合であっても、ヘッダーを固定部から取り外すことなく、ヘッダー用保温部材をヘッダーに取り付けることができるため、ヘッダーへの取付作業が容易となる。
【発明を実施するための最良の形態】
【００１７】
以下、この発明に係るヘッダー用保温部材、およびヘッダー用保温部材の取付方法を実施するための最良の形態を図面に基づいて説明する。
【００１８】
図１ないし図５は、本発明の一実施の形態を示す。図中符号１は、構造物等の固定部としての、建物の壁である。２は、湯水を分岐するためのヘッダーである。３は、ヘッダー２を壁１（固定部）に取付固定するための固定具である。６は、ヘッダー用保温部材である。
【００１９】
ここで、ヘッダー２は、その主管部２ａが直状に延びており、その主管部２ａの一方の端の開口部が、キャップ２ｂによって塞がれている。また、ヘッダー２には、主管部２ａの他方の端から延設された、管接続部２ｃとしての第１接続部２０１が設けられている。そして、この第１接続部２０１に、湯水の供給側につながる給水湯管（図示せず）が接続される。また、ヘッダー２には、主管部２ａの周面側に、管接続部２ｃとしての第２接続部２０２が設けられている。この第２接続部２０２は、主管部２ａから側方に突出する（つまりは、主管部２ａの周面から突出する）、ヘッダー分岐管部からなり、複数（図示実施の形態においては、３本）設けられている。そして、この第２の接続部２０２には、台所や浴室等の湯水の消費側につながる給水湯管（図示せず）が接続される。
【００２０】
固定具３は、壁１にビス７、７を用いて固定される台座４と、ヘッダー２を保持する保持部材５とからなる。台座４は、本体部４ａと、その本体部４ａから側方に延出されたフランジ部４ｂ、４ｂとからなる。そして、本体部４ａには、受口４ｃが形成され、その受口４ｃの内面には、係止爪４ｄ、４ｄが設けられている。また、フランジ部４ｂには、ビス７が通る取付孔４ｅが明けられている。一方、保持部材５は、ヘッダー２（詳細には、主管部２ａ）を抱持する抱持部５ａと、台座４の受口４ｃ内に挿入されて取り付けられる被取付部５ｂとからなる。ここで、抱持部５ａは、主管部２ａの周面を取り囲むように帯状に形成される。被取付部５ｂは、抱持部５ａの両端部から延出される、一対の延出片５ｃ、５ｃによって構成される。そして、この延出片５ｃに、前記係止爪４ｄに係止される被係止部５ｄが設けられる。また、抱持部５ａの両端部間と、その両端部間に続く両延出片５ｃ、５ｃ間とが、抱持部５ａ内にヘッダー２（詳細には、主管部２ａ）を挿入するための、開閉可能な挿入口５ｅとなる。そして、被取付部５ｂは、両延出片５ｃ、５ｃが挿入口５ｅを閉じるように合わせられて、台座４の受口４ｃ内へ挿入可能となっている。
【００２１】
そこで、ヘッダー２の主管部２ａを保持した保持部材５の被取付部５ｂを、両延出片５ｃ、５ｃを合わせるようにして、壁１に固定された台座４の受口４ｃ内に挿入する（図１参照）。この挿入により、受口４ｃに設けられた係止爪４ｄ、４ｄが、被取付部５ｂに設けられた被係止部５ｄ、５ｄを係止する。こうして、保持部材５が台座４に固定され、ヘッダー２は、これら台座４と保持部材５とからなる固定具３を介して、壁１に取付固定される。その後、ヘッダー２には、図示を省略するが、第１接続部２０１と第２接続部２０２、２０２に、それぞれ継手を介して給水湯管が接続される。
【００２２】
ヘッダー用保温部材６は、一つの部材でヘッダー２の少なくとも主管部２ａの周面全体を覆って保温する保温部材である。この保温部材６は、ヘッダー２の主管部２ａを収容する収容空間６ａと、その収容空間６ａにヘッダー２の主管部２ａを挿入するための挿入面６ｂと、ヘッダー２の管接続部２ｃ、２ｃに給水湯管を接続するために、管接続部２ｃ、２ｃを外方に臨ませる管用通孔６ｃ、６ｃと、ヘッダー２を壁１に取付固定するための、前記固定具３、３（詳細には、台座４における本体部４ａと、保持部材５における抱持部５ａの基端部および被取付部５ｂ）が通る、固定用通孔６ｄ、６ｄとを備える。そして、この保温部材６を、壁１に取付固定されたヘッダー２に取付可能とすべく、固定用通孔６ｄは、その固定用通孔６ｄを囲む囲繞部が分断されるようにして、挿入面６ｂに通じている。図示実施の形態においては、この保温部材６を、壁１に取付固定されて給水湯管が接続されたヘッダー２に取付可能とすべく、固定用通孔６ｄが、その固定用通孔６ｄを囲む囲繞部が分断されるようにして、挿入面６ｂに通ずるとともに、管用通孔６ｃもまた挿入面６ｂに通じている。
【００２３】
具体的には、保温部材６は、発泡ポリエチレン樹脂等の断熱材からなる。そして、保温部材６は、前記収容空間６ａおよび前記固定用通孔６ｄを有する本体６ｅと、その本体６ｅから側方に突出する（つまりは、本体６ｅの周面から突出する）突出部６ｆとを備える。ここで、本体６ｅは、主管部２ａの周面全体を覆うだけでなく、キャップ２ｂによって塞がれた、主管部２ａの端部を覆うように、収容空間６ａの一方の端を閉じる閉塞壁６ｇを有している。そして、本体６ｅにおける収容空間６ａの他方の端には、ヘッダー２の第１接続部２０１を外方に臨ませる、前記管用通孔６ｃとしての第１通孔６０１が設けられている。さらに、保温部材６には、ヘッダー２の第２接続部２０２を外方に臨ませる、前記管用通孔６ｃとしての第２通孔６０２、６０２が、収容空間６ａから、突出部６ｆを経てその突出部６ｆの先端に達するように設けられている。つまり、この第２通孔６０２は、収容空間６ａから突出部６ｆの先端に達するように側方に延びている。図示実施の形態においては、第１通孔６０１には、ヘッダー２の第１接続部２０１が、若干露出するようにして収容される。そして、第２通孔６０２には、ヘッダー２の第２接続部２０２と、その第２接続部２０２に続く継手（図示せず）と、その継手に続く給水湯管（図示せず）の端部が収容される。
【００２４】
また、前記挿入面６ｂは、収容空間６ａの周面を縦に切るようにして保温部材６を割る、割面６１１からなる。詳細には、前記挿入面６ｂは、収容空間６ａの周面と第１および第２通孔６０１、６０２の周面とを縦に切るようにして保温部材６を割る、割面６１１からなっている。こうして、管用通孔６ｃとしての第１および第２通孔６０１、６０２は、この割面６１１に直接通ずる。図示実施の形態においては、割面６１１は、本体６ｅおよび突出部６ｆを、縦に二分するように設けられる。ここで、保温部材６は、二分された分割体６ｈ、６ｈが、本体６ｅの、突出部６ｆとは反対側の側端部の一部で繋がって、一つの部材を構成している。そして、分割体６ｈ、６ｈは、繋がった部分がヒンジ６ｉとなって、割面６１１部分で開閉可能となる。また、前記固定用通孔６ｄは、第２通孔６０２、６０２間に設けられたスリット６ｊにより割面６１１に通ずる。
【００２５】
なお、図示実施の形態においては、固定用通孔６ｄは、当初において部分的に切れていない複数の切込み枠６ｋ、６ｋに対し、必要な位置の切込み枠６ｋ、６ｋを打ち抜くことで形成される。同様に、スリット６ｊは、当初において部分的に切れていない複数の切込み線６ｍ、６ｍに対し、必要な位置の切込み線６ｍ、６ｍを切り離すことで形成される。さらに、本体６ｅの、閉塞壁６ｇがある側の端部部分６ｎは、部分的に切れていない切込み線６ｐを切り離すことで、切除可能に形成されている。したがって、その端部部分６ｎが切除された保温部材６と、端部部分６ｎが切除されていない保温部材６とを並べることで、第２接続部２０２の数が多く、長さの長いヘッダー２にも対応させることができる。
【００２６】
次に、以上の構成からなる保温部材６の作用効果を、その取付方法とともに説明する。この保温部材６を、壁１に取付固定されたヘッダー２に対して取り付けるには、固定具３、３を、スリット６ｊ、６ｊを介して固定用通孔６ｄ、６ｄに挿入するとともに、ヘッダー２の主管部２ａを保温部材６の収容空間６ａに割面６１１（挿入面６ｂ）側から挿入するようにして、保温部材６をヘッダー２に取り付ける（図２〜図４参照）。詳細には、固定具３にあっては、スリット６ｊを開き、その開かれたスリット６ｊを通して、固定具３を固定用通孔６ｄに挿入し、その後、開かれたスリット６ｊを閉じる。そして、ヘッダー２にあっては、保温部材６（詳しくは、分割体６ｈ、６ｈ）を割面６１１部分で開き、主管部２ａを収容空間６ａに挿入するとともに、第１接続部２０１を第１通孔６０１に挿入し、第２接続部２０２を第２通孔６０２に挿入する。次いで、保温部材６（詳しくは、分割体６ｈ、６ｈ）を割面６１１部分で閉じ、その保温部材６を、例えは、粘着テープでしばる。こうして、ヘッダー２が壁１に取付固定されている場合であっても、ヘッダー２を壁１から取り外すことなく、保温部材６をヘッダー２に取り付けることができる。このため、保温部材６の、ヘッダー２への取付作業が容易となる。なお、保温部材６の収容空間６ａには、ヘッダー２の主管部２ａの他に、固定具３における抱持部５ａが収容され、この抱持部５ａもまた、保温部材６で覆われることとなる。
【００２７】
図示実施の形態においては、固定用通孔６ｄが、その固定用通孔６ｄを囲む囲繞部が分断されるようにして、割面６１１に通ずるだけでなく、第１および第２通孔６０１、６０２（管用通孔６ｃ）が、割面６１１に通じている。このため、この保温部材６を、壁１に取付固定されて給水湯管（図示せず）が接続されたヘッダー２に対して取り付けることができる。すなわち、固定具３を固定用通孔６ｄに挿入し、かつ、ヘッダー２の管接続部２ｃ、給水湯管、または／および、それら管接続部２ｃと給水湯管とを連結する継手を、管用通孔６ｃに挿入するとともに（詳しくは、第１接続部２０１を第１通孔６０１に挿入し、第２接続部２０２と継手（図示せず）と給水湯管（図示せず）の端部とを第２通孔６０２に挿入するとともに）、ヘッダー２の主管部２ａを収容空間６ａに割面６１１（挿入面６ｂ）側から挿入するようにして、保温部材６をヘッダー２に取り付ける（図２〜図４参照）。こうして、ヘッダー２が壁１に取付固定され給水湯管がヘッダー２に接続されている場合であっても、ヘッダー２を壁１から取り外したり給水湯管をヘッダー２から取り外したりすることなく、保温部材６をヘッダー２に取り付けることができる。このため、保温部材６の、ヘッダー２への取付作業が一層容易となる。
【００２８】
なお、本発明は、上述した実施の形態に限定されるわけではなく、その他種々の変更が可能である。例えば、固定部は、建物の壁１でなくとも、床や天井であってもよく、また、建築構造物等に固定されたパネルとか箱等であってもよい。
【００２９】
また、ヘッダー２において、第２接続部２０２は、主管部２ａから側方に突出するヘッダー分岐管部からならなくとも、図６および図７に示すように、第２接続部２０２が主管部２ａから突出しないように設けられてもよい。この実施の形態においては、固定具３は、台座４とビス８とからなる。すなわち、ヘッダー２は、台座４に宛がわれ、その台座４に、ヘッダー２を貫通し台座４（詳細には、台座４に設けられた孔）にねじ込まれるビス８によって固定される。そこで、このヘッダー２に保温部材６を取り付けると、固定用通孔６ｄには、台座４における本体部４ａと、ビス８の先端部分とが通る。
【００３０】
また、ヘッダー２は、そのヘッダー２を壁１（固定部）に取付固定するために、例えば、主管部２ａから突設された、被固定部を備えていてもよい。この場合には、被固定部が、直接、壁１（固定部）に固定されてもよく、また、被固定部は、例えば前記台座４からなる、固定具を介して、壁１（固定部）に固定されてもよい。そして、保温部材６の固定用通孔６ｄには、被固定部が通ったり、被固定部と固定具とが通ったりする。
【００３１】
また、保温部材６の本体６ｅには、収容空間６ａの一方の端を閉じる閉塞壁６ｇを有しているが、この閉塞壁６ｇは、本体６ｅと一体に形成されなくとも、本体６ｅとは別部材からなっていてもよい。
【００３２】
また、保温部材６（詳細には分割体６ｈ、６ｈ）は、ヒンジ６ｉにより、割面６１１部分で開閉可能となっているが、保温部材６の全体が撓むことで、開閉可能となってもよい。
【００３３】
また、保温部材６は、突出部６ｆを備えているが、図８に示すように、この突出部６ｆは、無くともよい。
【００３４】
また、保温部材６の固定用通孔６ｄは、スリット６ｊを介して割面６１１に通じなくとも、図９、図１０に示すように、直接割面６１１に通じてもよい。反対に、第２通孔６０２（管用通孔６ｃ）は、直接割面６１１に通じなくとも、これら図９、図１０に示すように、スリット１１を介して割面６１１に通じてもよい。また、図１１においては、第２通孔６０２（管用通孔６ｃ）が、スリット１１を介して割面６１１に通ずるとともに、固定用通孔６ｄが、スリット１２を介して、あるいは、スリット１１、１３と第２通孔６０２とを介して、割面６１１に通じている。
【００３５】
また、図１２に示すように、保温部材６の一方の割面６１１に、凹部１４を形成するとともに、他方の割面６１１に、凹部１４に嵌る突片１５を形成し、この突片１５の先端部分に固定用通孔６ｄを形成してもよい。この場合、固定用通孔６ｄは、凹部１４を介して割面６１１に通ずることとなる。
【００３６】
また、保温部材６の挿入面６ｂは、保温部材６を割る割面６１１からならなくとも、図１３に示すように、例えば、本体６ｅの、開放する端面１６からなっていてもよい。この実施の形態においては、固定用通孔６ｄは、スリット１７、あるいは、スリット１７および他の固定用通孔６ｄを介して、端面１６に通ずる。そして、第２通孔６０２は、分割部１８、あるいは、分割部１８および他の第２通孔６０２を介して、端面１６に通ずる。
【図面の簡単な説明】
【００３７】
【図１】この発明の一実施の形態の、ヘッダーを壁に取り付ける過程を示す斜視図である。
【図２】同じく、保温部材をヘッダーに取り付ける第１の過程を示す斜視図である。
【図３】同じく、保温部材をヘッダーに取り付ける第２の過程を示す斜視図である。
【図４】同じく、保温部材をヘッダーに取り付けた状態を示す斜視図である。
【図５】同じく、保温部材の展開図である。
【図６】この発明の他の実施の形態の、図２相当図である。
【図７】同じく、図４相当図である。
【図８】この発明の第１の変形例を示す模式図である。
【図９】この発明の第２の変形例を示す模式図である。
【図１０】この発明の第３の変形例を示す模式図である。
【図１１】この発明の第４の変形例を示す模式図である。
【図１２】この発明の第５の変形例を示す模式図である。
【図１３】この発明の第６の変形例を示す模式図である。
【符号の説明】
【００３８】
１  壁（固定部）
２  ヘッダー
２ａ  主管部
２ｃ  管接続部
２０１  第１接続部（管接続部）
２０２  第２接続部（管接続部）
３  固定具
６  保温部材
６ａ  収容空間
６ｂ  挿入面
６１１  割面（挿入面）
６ｃ  管用通孔
６０１  第１通孔（管用通孔）
６０２  第２通孔（管用通孔）
６ｄ  固定用通孔
６ｅ  本体
６ｆ  突出部
６ｊ  スリット
１２  スリット
１６  端面（挿入面）
１７  スリット
【図１】
0004805727.tif 000002
【図２】
0004805727.tif 000003
【図３】
0004805727.tif 000004
【図４】
0004805727.tif 000005
【図５】
0004805727.tif 000006
【図６】
0004805727.tif 000007
【図７】
0004805727.tif 000008
【図８】
0004805727.tif 000009
【図９】
0004805727.tif 000010
【図１０】
0004805727.tif 000011
【図１１】
0004805727.tif 000012
【図１２】
0004805727.tif 000013
【図１３】
0004805727.tif 000014